(57)【要約】      （修正有）【課題】被写体画像の画像データの管理が容易であり、再プリントする際に、印画紙にプリントされている被写体画像の画像データを容易に取得してプリントすることができるプリントシステムを提供する。【解決手段】初回プリントの際に、画像データ取得装置２６と、操作端末３０で入力された画像データを所定の格納場所（データ蓄積サーバ１５の所定の格納場所）に格納するラボサーバ２０と、印画紙の所定の領域に、被写体画像の画像データの格納場所を示すＵＲＬを記録するプリンタ２４と、そのＵＲＬ等を読み取るバーコード読取装置２８と、を備え、上記プリンタ２４は、初回プリントの際には、画像データ取得装置２６で入力された画像データに基づいてプリントし、再プリントの際には、バーコード読取装置２８で読み取られた格納場所情報で示された格納場所から画像データを取得し、取得した画像データに基づいてプリントする。【選択図】図１
2007094837.tif 000002
【特許請求の範囲】
【請求項１】
撮像装置によって撮影された被写体画像を印画紙に最初にプリントする初回プリントの際に、プリントする被写体画像の画像データを取得する取得手段と、
前記取得手段で取得された画像データを所定の格納場所に格納する格納手段と、
印画紙の所定領域、印画紙に設けられた記録媒体、または記録後に印画紙に設けられる記録媒体に、被写体画像の画像データの格納場所を示す格納場所情報を記録する記録手段と、
印画紙または該印画紙に設けられた記録媒体に記録された前記格納場所情報を読み取る読取手段と、
初回プリントの際には、前記取得手段で取得された画像データに基づいてプリントし、前記格納場所情報が記録された印画紙または前記格納場所情報が記録された記録媒体が設けられた印画紙にプリントされた被写体画像を再プリントする際に、前記読取手段で読み取られた格納場所情報で示された格納場所から画像データを取得し、取得した画像データに基づいてプリントするプリント手段と、
を備えたプリント装置。
【請求項２】
前記記録手段は、前記印画紙の所定領域または前記記録媒体に、前記被写体画像に関連する関連情報を更に記録し、
前記読取手段は、前記印画紙または前記記録媒体に記録された関連情報を更に読み取り、
前記プリント手段は、再プリントの際に、前記格納場所から取得した画像データおよび前記読み取られた関連情報に基づいてプリントする
請求項１記載のプリント装置。
【請求項３】
初回プリントおよび再プリントの際にパスワードを入力するパスワード入力手段を更に備え、
前記記録手段は、前記印画紙の所定領域または前記記録媒体に、初回プリントの際に前記パスワード入力手段で入力されたパスワードを更に書き込み、
前記読取手段は、前記印画紙または前記記録媒体からパスワードを更に読取り、
前記プリント手段は、再プリントの際には、前記読取手段で読み取られたパスワードと、再プリントの際に前記パスワード入力手段で入力されたパスワードとを比較して認証を行い、認証後にプリントする
請求項１または請求項２記載のプリント装置。
【請求項４】
撮像装置で撮影された被写体画像がプリントされた印画紙または該印画紙に設けられた記録媒体に、前記被写体画像の画像データの格納場所を示す格納場所情報が記録されていた場合に、該格納場所情報を読み取る読取手段と、
前記読取手段で読み取られた格納場所情報で示された格納場所から画像データを取得し、取得した画像データに基づいてプリントするプリント手段と、
を備えたプリント装置。
【請求項５】
前記読取手段は、前記印画紙または前記印画紙に設けられた記録媒体に該印画紙にプリントされた被写体画像に関連する関連情報が記録されていた場合に、該関連情報を更に読み取り、
前記プリント手段は、前記格納場所から取得した画像データおよび前記読み取られた関連情報に基づいてプリントする
請求項４記載のプリント装置。
【請求項６】
パスワードを入力するパスワード入力手段を更に備え、
前記読取手段は、前記印画紙または前記印画紙に設けられた記録媒体にパスワードが記録されていた場合には該パスワードを更に読み取り、
前記プリント装置は、前記読取手段で読み取られたパスワードと前記パスワード入力手段で入力されたパスワードとを比較して認証を行い、認証後にプリントする
請求項４または請求項５記載のプリント装置。
【請求項７】
前記格納場所情報は、ＵＲＬである請求項１乃至請求項６のいずれか１項記載のプリント装置。
【請求項８】
前記所定領域に記録される情報を１次元バーコードまたは二次元コードの形式で表した請求項１乃至請求項７のいずれか１項記載のプリント装置。
【請求項９】
前記記録媒体は、ＩＣタグまたは磁気メモリである請求項１乃至請求項７のいずれか１項記載のプリント装置。
【請求項１０】
請求項１乃至請求項９のいずれか１項記載のプリント装置と、
前記被写体画像の画像データを格納し、前記プリント装置と接続されたサーバと、
を含むプリントシステム。
【請求項１１】
印画紙の所定領域、印画紙に設けられた記録媒体、または記録後に印画紙に設けられる記録媒体に、該印画紙にプリントする被写体画像の画像データの格納場所を示す格納場所情報を記録する記録装置。
【請求項１２】
前記印画紙の所定領域または前記記録媒体に、前記被写体画像に関連する関連情報およびパスワードの少なくとも一方を更に記録する請求項１１記載の記録装置。
【請求項１３】
前記格納場所情報は、ＵＲＬである請求項１１または請求項１２記載の記録装置。
【請求項１４】
前記所定領域に記録される情報を１次元バーコードまたは二次元コードの形式で表した請求項１１乃至請求項１３のいずれか１項記載の記録装置。
【請求項１５】
前記記録媒体は、ＩＣタグまたは磁気メモリである請求項１１乃至請求項１３のいずれか１項記載の記録装置。
【請求項１６】
撮像装置によって撮影された被写体画像がプリントされ、かつ該被写体画像の画像データの格納場所を示す格納場所情報が記録された所定領域に記録されるかまたは付加された記録媒体に記録された印画紙。
【請求項１７】
前記印画紙の所定領域または前記記録媒体に、前記被写体画像に関連する関連情報およびパスワードの少なくとも一方を更に記録した請求項１６記載の印画紙。
【請求項１８】
前記格納場所情報は、ＵＲＬである請求項１６または請求項１７記載の印画紙。
【請求項１９】
前記所定領域に記録される情報を１次元バーコードまたは二次元コードの形式で表した請求項１６乃至請求項１８のいずれか１項記載の印画紙。
【請求項２０】
前記記録媒体は、ＩＣタグまたは磁気メモリである請求項１６乃至請求項１８のいずれか１項記載の印画紙。
【発明の詳細な説明】
【技術分野】
【０００１】
本発明は、撮像装置によって撮影された被写体画像を印画紙にプリントするプリント装置、該プリント装置を含むプリントシステム、印画紙の所定領域、印画紙に設けられた記録媒体または記録後に印画紙に設けられる記録媒体にデータを記録する記録装置、および被写体画像がプリントされる印画紙に関する。
【背景技術】
【０００２】
従来、撮像装置によって撮影された被写体画像をラボ店などで印画紙に最初にプリントする初回プリントを行った後に、後日再プリント（焼増し）を行う場合には、プリント処理後のフィルムや、画像データが記録された記録メディアまたはデジタルカメラを再度ラボ店に持参する必要がある。従って、ユーザは、自分自身でフィルムや画像データを適切に保管しておく必要があり、これを紛失すると再プリントが不可能な状態となってしまう。また、再プリントの際、どの被写体画像をプリントするのかをフィルムやインデクスプリント、画像データを１つ１つ確認しながら指定する必要があり、ユーザにとって面倒であり効率も悪い。
【０００３】
これに対して、プリントＩＤをプリント写真に記録しておくと共に、プリントＩＤと対応付けて画像データをサーバ等の記憶手段に記憶し、再プリントの際に、プリントＩＤに対応付けられた画像データを読み出してプリントすることができるプリントシステムや、画像データそのものをＩＣタグなどの記録手段に記憶してプリントに付し、再プリントの際にＩＣタグから画像データを読み出してプリントするプリントシステムが知られている（例えば、特許文献１および特許文献２参照）。
【０００４】
また、バーコードやＩＣタグを用いて、プリントした被写体画像に関する情報をデータとして保存し、容易にプリント写真を分類できるバーコード記録カメラが知られている（例えば、特許文献３参照）。
【０００５】
なお、記録媒体としては、近年、大容量のデータの記録が可能な体積ホログラム方式や薄膜ホログラム方式のメモリが開発されている（例えば、特許文献４参照）。
【特許文献１】特開２００４−１１０２４４号公報
【特許文献２】特開２００４−１０９３０４号公報
【特許文献３】特開２００１−２８７２４号公報
【特許文献４】特開２００４−２３３５６１号公報
【発明の開示】
【発明が解決しようとする課題】
【０００６】
しかしながら、上記プリントＩＤをプリント写真に記録しておくプリントシステムでは、画像データとプリントＩＤとを対応付けて蓄積しておく必要があり、管理が面倒であった。また、ＩＣタグなどの限られた記憶容量の記録手段に画像データを記録する場合には、画像データを圧縮したりする必要があり再プリントしたときに画質が低下するおそれがあった。
【０００７】
本発明は上記問題点を解決するためになされたものであり、被写体画像の画像データの管理が容易であり、再プリントする際に、印画紙にプリントされている被写体画像の画像データを容易に取得してプリントすることができるプリント装置、プリントシステム、記録装置、および印画紙を提供することを目的とする。
【課題を解決するための手段】
【０００８】
上記目的を達成するために、第１の発明のプリント装置は、撮撮像装置によって撮影された被写体画像を印画紙に最初にプリントする初回プリントの際に、プリントする被写体画像の画像データを取得する取得手段と、前記取得手段で取得された画像データを所定の格納場所に格納する格納手段と、印画紙の所定領域、印画紙に設けられた記録媒体、または記録後に印画紙に設けられる記録媒体に、被写体画像の画像データの格納場所を示す格納場所情報を記録する記録手段と、印画紙または該印画紙に設けられた記録媒体に記録された前記格納場所情報を読み取る読取手段と、初回プリントの際には、前記取得手段で取得された画像データに基づいてプリントし、前記格納場所情報が記録された印画紙または前記格納場所情報が記録された記録媒体が設けられた印画紙にプリントされた被写体画像を再プリントする際に、前記読取手段で読み取られた格納場所情報で示された格納場所から画像データを取得し、取得した画像データに基づいてプリントするプリント手段と、を備えている。
【０００９】
このように、印画紙の所定領域、印画紙に設けられた記録媒体、記録後に印画紙に設けられる記録媒体に被写体画像の画像データが格納された格納場所を示す格納場所情報を記録するようにし、再プリントする際には、印画紙または印画紙に設けられた記録媒体から該記録されている格納場所情報を読み出し、該読み出した格納場所情報が示す格納場所から画像データを取得してプリントするため、被写体画像の画像データの管理が容易になり、再プリントする際にも、被写体画像がプリントされ、かつ上記格納場所情報が記録された印画紙または上記格納場所情報が記録された記録媒体が設けられた印画紙さえあれば、該印画紙にプリントされている被写体画像を容易にプリントすることができる。
【００１０】
第１の発明において、前記記録手段は、前記印画紙の所定領域または前記記録媒体に、前記被写体画像に関連する関連情報を更に記録し、前記読取手段は、前記印画紙または前記記録媒体に記録された関連情報を更に読み取り、前記プリント手段は、再プリントの際に、前記格納場所から取得した画像データおよび前記読み取られた関連情報に基づいてプリントすることができる。
【００１１】
ここで、関連情報とは、例えば、印画紙にプリントされる被写体画像を撮像した場所としてユーザにより指定された場所情報や、プリント時の濃度及びカラーバランスなどのプリント条件等をいう。
【００１２】
このように、関連情報を上記格納場所情報と共に記録することにより、再プリントする際にこれら関連情報に基づいてプリントすることができるため、付加価値の高い或いは品質ばらつきのないプリント出力が得られる。
【００１３】
第１の発明は、初回プリントおよび再プリントの際にパスワードを入力するパスワード入力手段を更に備え、前記記録手段は、前記印画紙の所定領域または前記記録媒体に、初回プリントの際に前記パスワード入力手段で入力されたパスワードを更に書き込み、前記読取手段は、前記印画紙または前記記録媒体からパスワードを更に読取り、前記プリント手段は、再プリントの際には、前記読取手段で読み取られたパスワードと、再プリントの際に前記パスワード入力手段で入力されたパスワードとを比較して認証を行い、認証後にプリントすることができる。
【００１４】
このようにパスワードを利用することにより、被写体画像等が不正に再プリントされることを防止できる。
【００１５】
第２の発明のプリント装置は、撮像装置で撮影された被写体画像がプリントされた印画紙または該印画紙に設けられた記録媒体に、前記被写体画像の画像データの格納場所を示す格納場所情報が記録されていた場合に、該格納場所情報を読み取る読取手段と、前記読取手段で読み取られた格納場所情報で示された格納場所から画像データを取得し、取得した画像データに基づいてプリントするプリント手段と、を備えている。
【００１６】
このように、印画紙の所定領域、印画紙に設けられた記録媒体、記録後に印画紙に設けられる記録媒体から被写体画像の画像データが格納された格納場所を示す格納場所情報を読み出し、該読み出した格納場所情報が示す格納場所から画像データを取得してプリントするため、被写体画像の画像データの管理が容易になり、再プリントする際にも、被写体画像がプリントされ、かつ上記格納場所情報が記録された所定領域または記録媒体を有する印画紙さえあれば、該印画紙にプリントされている被写体画像を容易にプリントすることができる。
【００１７】
第２の発明において、前記読取手段は、前記印画紙または前記印画紙に設けられた記録媒体に該印画紙にプリントされた被写体画像に関連する関連情報が記録されていた場合に、該関連情報を更に読み取り、前記プリント手段は、前記格納場所から取得した画像データおよび前記読み取られた関連情報に基づいてプリントすることができる。
【００１８】
ここで、関連情報とは、例えば、印画紙にプリントされる被写体画像を撮像した場所としてユーザにより指定された場所情報や、プリント時の濃度及びカラーバランスなどのプリント条件等をいう。
【００１９】
このように、上記格納場所情報と共に記録された関連情報を読み出してプリントに用いることにより、付加価値の高い或いは品質ばらつきのないプリント結果を出力できる。
【００２０】
第２の発明は、パスワードを入力するパスワード入力手段を更に備え、前記読取手段は、前記印画紙または前記印画紙に設けられた記録媒体にパスワードが記録されていた場合には該パスワードを更に読み取り、前記プリント装置は、前記読取手段で読み取られたパスワードと前記パスワード入力手段で入力されたパスワードとを比較して認証を行い、認証後にプリントすることができる。
【００２１】
このようにパスワードを利用することにより、被写体画像等が不正に再プリントされることを防止できる。
【００２２】
第３の発明のプリントシステムは、上記第１及び第２の発明のプリント装置と、前記被写体画像の画像データを格納し、前記プリント装置と接続されたサーバと、を含んで構成されている。
【００２３】
このようなプリントシステムによっても、被写体画像の画像データの管理が容易になり、再プリントする際にも、被写体画像がプリントされ、かつ上記格納場所情報が記録された印画紙または上記格納場所情報が記録された記録媒体が設けられた印画紙さえあれば、該印画紙にプリントされている被写体画像を容易にプリントすることができる。
【００２４】
第４の発明の記録装置は、印画紙の所定領域、印画紙に設けられた記録媒体、または記録後に印画紙に設けられる記録媒体に、該印画紙にプリントする被写体画像の画像データの格納場所を示す格納場所情報を記録するものである。
【００２５】
このように、印画紙の所定領域、印画紙に設けられた記録媒体、記録後に印画紙に設けられる記録媒体に被写体画像の画像データが格納された格納場所を示す格納場所情報を記録するようにしたため、再プリントする際には、この印画紙または印画紙に設けられた記録媒体から該記録されている格納場所情報を読み出し、該読み出した格納場所情報が示す格納場所から画像データを取得してプリントすることができる。従って、被写体画像の画像データの管理が容易になり、再プリントする際にも、被写体画像がプリントされ、かつ上記格納場所情報が記録された印画紙または上記格納場所情報が記録された記録媒体が設けられた印画紙さえあれば、該印画紙にプリントされている被写体画像を容易にプリントすることができる。
【００２６】
第４の発明において、前記印画紙の所定領域または前記記録媒体に、前記被写体画像に関連する関連情報およびパスワードの少なくとも一方を更に記録することができる。
【００２７】
格納場所情報と共に関連情報を記録しておくことにより、プリントの際に付加価値の高い或いは品質ばらつきのないプリント結果を出力できる。また、パスワードを記録しておくことにより、被写体画像等が不正に再プリントされることを防止できる。
【００２８】
第５の発明の印画紙は、撮像装置によって撮影された被写体画像がプリントされ、かつ該被写体画像の画像データの格納場所を示す格納場所情報が記録された所定領域に記録されるかまたは付加された記録媒体に記録された印画紙である。
【００２９】
これにより、被写体画像を記録した記録メディアやフィルム等が無くとも、本発明の印画紙さえあれば、再プリントが容易になる。
【００３０】
なお、この前記印画紙の所定領域または前記記録媒体に、前記被写体画像に関連する関連情報およびパスワードの少なくとも一方を更に記録するようにしてもよい。
【００３１】
格納場所情報と共に関連情報を記録しておくことにより、プリントの際に付加価値の高い或いは品質ばらつきのないプリント結果を出力できる。また、パスワードを記録しておくことにより、被写体画像等が不正に再プリントされることを防止できる。
【００３２】
なお、第１〜第５の発明において、前記格納場所情報は、ＵＲＬ（UniformResorceLocator）とすることができる。
【００３３】
これにより、該ＵＲＬにアクセスすれば、ネットワークを介して容易に被写体画像の画像データを取得することができる。
【００３４】
また、印画紙の所定領域に記録される情報を１次元バーコードまたは二次元コードの形式で表すことができる。ここで、二次元コードは、二次元バーコードであってもよいし、ＱＲコード（Ｒ）であってもよい。
【００３５】
なお、格納場所情報等が記録される印画紙の所定の領域は、印画紙の表面の余白部分であってよいし、裏面の任意の部分であってもよい。また、所定の領域に記録される情報を印画紙に直接に記録（プリント）せず、ラベルとして別途プリントし、このラベルをプリント済印画紙の所定領域に貼付することで記録するようにしてもよい。
【００３６】
また、記録媒体は、ＩＣタグまたは磁気メモリとすることもできる。ＩＣタグや磁気メモリを用いる場合、ＩＣタグや磁気メモリの印画紙に対する実装は、予め実装されていてもよいし、ＩＣタグや磁気メモリに上記格納場所情報等を記録した後に印画紙に実装してもよいし、印画紙に実装した後に記録してもよい。
【発明の効果】
【００３７】
以上説明したように、本発明によれば、被写体画像の画像データの管理が容易であり、再プリントする際に、印画紙にプリントされている被写体画像の画像データを容易に取得してプリントすることができる、という優れた効果を奏する。
【発明を実施するための最良の形態】
【００３８】
以下、図面を参照して本発明の実施の形態に係るプリントシステムについて説明する。
【００３９】
図１は、プリント装置として機能するラボ１２を含むプリントシステム１０の構成図である。このプリントシステム１０は、各地域に点在するラボ１２と、ラボ１２から伝送された各種データを蓄積保存するサービスセンタ１４と、撮影場所に関する情報の検索を行う場所情報検索サービスセンタ１６とがインターネット等のネットワーク１８で相互に接続されて構成されている。
【００４０】
ラボ１２には、画像データに基づく画像を印画紙等にプリントすると共に、プリントされた印画紙の表面余白あるいは裏面に各種情報をバーコード形式でプリントするプリンタ２４と、画像データを取得する画像データ取得装置２６と、バーコードを読み取るバーコード読取装置２８と、及び各種情報や指示等を入力するための操作端末３０が設置されている。プリンタ２４、画像データ取得装置２６、バーコード読取装置２８、及び操作端末３０は、ラボサーバ２０に接続され、ラボサーバ２０は各装置を制御、管理する。
【００４１】
画像データ取得装置２６には、フイルムの各コマ画像を読取って画像データを取得するスキャナ装置であってもよいし、記録メディアに記録されている画像データを読出すリーダ等であってもよい。従って、画像データ取得装置２６は、デジタルカメラ等により撮影されて得られた画像データを取得する装置であってもよいし、銀塩カメラ等により撮影されて得られたフィルムから画像データを取得する装置であってもよい。
【００４２】
バーコード読取装置２８は、図３（Ａ）に示すようにプリント済の印画紙４０に記録されたバーコード４４を読み取るための装置である。バーコード４４は、図３（Ｂ）に示すような二次元バーコードであってもよいし、図３（Ｃ）に示すような二次元コードであってもよい。また、図示は省略するが一次元バーコードであってもよい。バーコードで表される情報には、被写体画像を表す画像データが蓄積されている場所を示すＵＲＬ（ここでは、サービスセンタ１４のデータ蓄積サーバ１５のＵＲＬ）、被写体を撮影した場所を示す撮影場所情報、及びパスワードが含まれる。このバーコードを印画紙４０にプリントすることにより、再プリントの際には、所望の被写体画像がプリントされた印画紙４０をラボ１２に持ち込むだけで、同一の被写体画像を容易に再プリントすることができる。
【００４３】
操作端末３０は、被写体画像を撮影した場所を入力したり、プリント枚数やプリント時の濃度及びカラーバランス等を指定したプリント条件を入力したりすることができる。
【００４４】
プリンタ２４は、画像データ取得装置２６で取得した画像データまたはデータ蓄積サーバ１５から取得した画像データに基づいて、印画紙４０に被写体画像をプリントする。また、印画紙４０の余白に上記ＵＲＬ、撮影場所情報等を表したバーコードを記録する。また、撮影場所情報等に基づいた画像もプリントする。
【００４５】
なお、ラボサーバ２０は、上記装置の制御だけでなく、ネットワーク１８を介してサービスセンタ１４や場所情報検索サービスセンタ１６と情報の授受を行ったり、画像データ取得装置２６によって取得した画像データから低解像度の画像データ（サムネイル画像）を生成したりする。また、ラボサーバ２０は、写真が不正に再プリントされることを防ぐために、パスワードによる認証等によって本人照会を行う。
【００４６】
サービスセンタ１４のデータ蓄積サーバ１５は、顧客データや画像データを一括して蓄積し管理する。ラボ１２は、ネットワーク１８を介し、必要に応じてサービスセンタ１４に問い合わせ、必要なデータを取得する。これにより、顧客はどのラボ１２でも同一のサービスを受けることができる。
【００４７】
場所情報検索サービスセンタ１６の場所情報検索サーバ１７は、ラボ１２からネットワーク１８を介して受信した場所情報検索要求に対し、場所情報検索要求で指定された場所に関する情報、例えばその場所の地図、その場所近傍の名所の画像等を検索し、そのデータを撮影場所に関する情報としてラボ１２に送信する。なお、検索は場所情報検索サーバ１７内のデータベースから検索するようにしてもよいし、ネットワーク１８で接続された他のサーバから検索してもよい。
【００４８】
次に、本実施の形態のプリントシステム１０の処理フローを説明する。
【００４９】
図２は、撮像装置によって撮影された被写体画像をラボ１２で最初にプリントする初回プリントの際の処理フローを示した図である。
【００５０】
まず、顧客は、ステップ１００でデジタルカメラや銀塩カメラによって被写体を撮影し、撮影した被写体画像が記録された記録メディア或いはフィルムを、最寄りのラボ１２に持ち込む。
【００５１】
ラボ１２のラボサーバ２０は、ステップ１０２で持ち込まれたフィルム或いは画像データを記録した記録メディアから画像データ取得装置２６によって画像データを取得する。
【００５２】
顧客は、ステップ１０４で、操作端末３０からパスワードを入力する。このパスワードは後日再プリントする際の認証に用いられる。
【００５３】
更に、ステップ１０６で、顧客は操作端末３０からプリント情報を入力する。ここでは、持ち込んだ画像データのプリント枚数や、プリント時の濃度及びカラーバランスなどのプリント条件の指定をプリント情報として入力する。また、被写体画像を撮影した場所に関する情報をプリントするか否かの指定もここで行う。ここでは、撮影場所に関する情報のプリントを指定した場合を例に挙げて説明する。
【００５４】
ステップ１０８では、顧客は更に操作端末３０から撮影場所情報を入力する。撮影場所情報は、被写体を撮影した場所を示す情報であって、例えば、操作端末３０の表示装置に地名を示す複数個の選択項目を表示し、顧客は該表示された選択項目の中から該当する項目を選択する等して入力することができる。
【００５５】
顧客がこれら情報を入力するとラボサーバ２０は、まず、ステップ１１０で、上記取得した画像データを格納するための格納場所（ＵＲＬ）をデータ蓄積サーバ１５に問い合わせる。
【００５６】
ステップ１１２で、データ蓄積サーバ１５は、画像データの格納場所を確保した上で、この格納場所を示すＵＲＬをラボサーバ２０に返却する。
【００５７】
ステップ１１４で、ラボサーバ２０は、受信したＵＲＬに画像データが格納されるように画像データをデータ蓄積サーバ１５に転送する。
【００５８】
ステップ１１６で、データ蓄積サーバ１５は、ラボサーバ２０から受信した画像データをＵＲＬに格納する。
【００５９】
さらに、ラボサーバ２０は、ステップ１１８で、場所情報検索サービスセンタ１６に対して、上記入力された撮影場所情報が示す場所に関する情報の検索要求を送信する。
【００６０】
場所情報検索サービスセンタ１６の場所情報検索サーバ１７は、ラボサーバ２０から検索要求を受信すると、ステップ１２０で、撮影場所情報が示す場所に関する情報（その場所の地図、その場所近傍の名所の画像の画像データ等）を検索し、ステップ１２２で検索結果をラボサーバ２０に送信する。
【００６１】
そして、ステップ１２４で、プリンタ２４で顧客の指定に応じたプリントを行う。具体的には、プリンタ２４では、図３（Ａ）に示すように、画像データ取得装置２６で取得した画像データに基づいて、各被写体画像４２を顧客が指定したプリント枚数だけ印画紙４０にプリントする。また、印画紙４０表面の被写体画像４２がプリントされない余白部分に、該被写体画像４２の画像データに対応付けられたＵＲＬ、上記入力された撮影場所情報、プリント条件を示す情報、およびパスワードを、図３（Ｂ）、（Ｃ）に示すようなバーコード４４の形式でプリントする。このとき、パスワードやＵＲＬ等は暗号化した状態でプリントし、ラボサーバ２０以外では復号できないようにしておくことが好ましい。
【００６２】
また、上記操作端末３０で、被写体画像を撮影した場所に関する情報のプリントが指定された場合には、場所情報検索サーバ１７の検索結果に基づいて、図５（Ｂ）に示すようにその場所に関する名所の写真８２ａや地図８２ｂ、地名８２ｃ等をシート８２にプリントする。プリント結果は顧客に渡される。
【００６３】
なお、ここでは、印画紙４０の表面の余白部分にバーコード４４をプリントしたが、裏面にプリントしてもよい。また、バーコード４４を印画紙４０自体にプリントせず、ラベルとして別途プリントし、このラベルをプリント済印画紙４０に貼付するようにしてもよい。
【００６４】
図４は、プリントされた被写体画像を再度プリントする再プリントの際の処理フローを示した図である。
【００６５】
まず、顧客は、所望の被写体画像がプリントされた印画紙４０をラボ１２に持ち込む。再プリント時に持ち込まれる印画紙４０は、バーコード４４が余白にプリントされているものである。
【００６６】
ラボサーバ２０は、ステップ２００で、プリントされているバーコードをバーコード読取装置２８によって読取り、読み取り結果からステップ２０２でＵＲＬ、撮影場所情報、プリント条件、パスワードを取得する。暗号化されている場合は、暗号化されているデータをここで復号する。
【００６７】
続いて、顧客は、パスワードの入力を要求される。ステップ２０４で、顧客は操作端末３０からパスワードを入力する。
【００６８】
ラボサーバ２０は、ステップ２０６で、入力されたパスワードと上記バーコード４４を読み取って取得したパスワードとを比較し、一致すれば認証し、プリント処理を続行する。なお、ここでパスワードが不一致であった場合には、これ以降の処理は行われない。すなわち、再プリントは行われない。
【００６９】
認証後、顧客は、ステップ２０８でプリント情報を入力する。ここで、プリント情報として、各被写体画像のプリント枚数を指定できる他、撮影場所に関する情報をプリントするか否かの指定もここで行うことができる。ここでは、撮影場所に関する情報のプリントを指定した場合を例に挙げて説明する。
【００７０】
ステップ２１０では、バーコード読取装置２８で読み取って得られたＵＲＬにアクセスる。
【００７１】
ラボサーバ２０からアクセスされたデータ蓄積サーバ１５は、ステップ２１２で、ＵＲＬに格納されている画像データを送信する。
【００７２】
ラボサーバ２０は更に、ステップ２１４で、バーコード読取装置２８で読み取って得られた撮影場所情報が示す場所に関する情報の検索要求を、場所情報検索サービスセンタ１６に対して送信する。
【００７３】
場所情報検索サービスセンタ１６の場所情報検索サーバ１７は、ラボサーバ２０から検索要求を受信すると、ステップ２１６で、撮影場所情報が示す場所に関する情報（その場所の地図、その場所近傍の名所の画像等）を検索し、ステップ２１８で検索結果を返送する。
【００７４】
ステップ２２０では、プリンタ２４で、図５（Ａ）に示すように、上記読み出した画像データ、プリント条件に基づいて印画紙４０に被写体画像４２をプリントすると共に、場所情報検索サービスセンタ１６から受信した撮影場所情報の検索結果に基づいて、図５（Ｂ）に示すようにその場所に関する名所の写真８２ａや地図８２ｂ、地名８２ｃ等をシート８２にプリントする。なお、再プリントでは、印画紙４０にバーコード４４をプリントしてもよいし、図５（Ａ）に示すようにプリントしなくてもよい。また、プリントするか否かを顧客が指定できるようにしてもよい。プリント結果は顧客に渡される。
【００７５】
以上説明したように、印画紙４０にバーコード形式で被写体画像の画像データを格納した格納場所を示すＵＲＬを記録するようにしたため、顧客は、画像データやフィルムが無くても、被写体画像がプリントされた印画紙さえあれば、被写体画像を気軽に再プリントすることができる。また、撮影場所情報を印画紙４０に記録しておけば、この情報から、容易に地図や撮影場所、名所の写真などもプリント可能になる。また、プリント条件等を記録しておけば、再プリントの際に、初回プリントと同様に被写体画像を再現することができる。また、パスワードを設定しておくことによって、不正な再プリントも防止できる。
【００７６】
なお、上記実施の形態では、プリンタ２４が、バーコード４４をプリントする装置と、被写体画像や撮影情報等をプリントする装置とを兼ねる例について説明したが、これに限定されず、各々の装置を分けて構成してもよい。
【００７７】
また、撮影場所情報等の被写体画像に関連する関連情報は、被写体画像の再プリント時だけでなく、印画紙４０を任意にラボ１２に持ち込むことによって関連情報だけを適宜プリントすることも可能である。
【００７８】
なお、上記実施の形態では、印画紙４０にバーコード形式でＵＲＬや撮影場所情報等を記録するようにしたが、これに限定されず、例えば、ＩＣタグ等の微小な記録媒体を印画紙４０に設け、この記録媒体にＵＲＬや撮影場所情報等を記録するようにしてもよい。
【００７９】
図６（Ａ）に示すように、プリントされた状態の印画紙４０の表面または裏面にＩＣタグ５０を実装する。ＩＣタグ５０の実装は、ＩＣタグ５０にＵＲＬや撮影場所情報等が記録された後に、印画紙４０に実装してもよいし、記録前に実装してもよい。あるいは、図６（Ｂ）に示すように予め印画紙４０の内層にＩＣタグを実装しておくこともできる。この場合には、印画紙４０がプリンタ２４でプリント処理されてもＩＣタグ５０に影響が及ばないよう保護フィルムでコーティングされたＩＣタグ５０を、印画紙４０を構成する感光材群４０ａとベース紙群４０ｂとの間に設ける。この場合には、ＵＲＬなどの記録のタイミングは、印画紙に被写体画像がプリントされた後であってもよいし、プリントされる前であってもよい。
【００８０】
ＩＣタグ５０は、外部機器とのインタフェースとして無線通信（例えば、非接触ＩＣカードの国際規格（ＩＳＯ／ＩＥＣ１４４４３）、Bluetooth規格やIrDA規格等）による所謂非接触インタフェースを用いることができ、ＩＣタグ５０に対する情報の書込み・読出しは、不図示のリーダ／ライタ（Ｒ／Ｗ）装置によって無線通信にて行う。
【００８１】
図７は、ＩＣタグ５０の詳細構成を示す図である。図７に示すように、ＩＣタグ５０は、非接触方式でＲ／Ｗ装置とのデータの送受信を実現するためのアンテナコイル７０Ａとコンデンサ７０Ｂからなる非接触通信手段としてのアンテナ部７０と、ＩＣチップ７２とで構成されている。なお、アンテナ部７０は、ＩＣチップ７２に外付けしてもよいし、ＩＣチップ７２と同一チップ上に形成してもよい（オンチップ化）。
【００８２】
アンテナ部７０は、電気信号を電磁波に変換して外部へ出力すると共に、外部からの電磁波を受信して電気信号に変換することによって、外部との非接触インタフェースとして機能する。
【００８３】
ＩＣチップ７２は、不揮発メモリセルアレイ５４、データ制御回路５６、及び暗号処理回路５６からなるデジタル回路５８と、データ変調回路６０、データ復調回路６２、リセット回路６６、及び電源回路６４からなるアナログ回路６８とを含んで構成される。なお、デジタル回路５８にＣＰＵを内蔵することも可能であり、より複雑な演算処理を行うこともできる。
【００８４】
不揮発メモリセルアレイ５４には、例えば、半導体不揮発メモリ（ＥＥＰＲＯＭ、フラッシュメモリ）が使用され、この不揮発メモリセルアレイ５４に各種データが記録される。
【００８５】
データ制御回路５６は、不揮発メモリセルアレイ５４に対するデータの読み書きを制御し、この読み書きされるデータは、暗号処理回路５６によって、必要に応じて暗号化或いは復号化される。
【００８６】
データ変調回路６０は、不揮発メモリセルアレイ５４から読み出されたデータに基づく変調信号を生成する。この変調信号に基づいて変調された電磁波がアンテナ部７０からバーコード読取装置２８へ向けて送出される。データ復調回路６２は、アンテナ部７０を介してバーコード読取装置２８から受信した信号をデータに復調する。この復調されたデータは、データ制御回路５６の制御によって不揮発メモリセルアレイ５４に記録される。
【００８７】
リセット回路６６は、アンテナ部７０においてリセットを指示する信号を受信した場合に、アナログ回路６８の内部回路をリセットすると共に、デジタル回路５８へリセット信号を送出し、デジタル回路５８の内部回路もリセットする。すなわち、リセット回路６６は、該ＩＣタグ５０全体の内部回路をリセットする。
【００８８】
電源回路６４は、電磁波から平滑回路を使用して電源を作り、アナログ回路６８の電源として利用すると共に、デジタル回路５８へも供給する。すなわち、電源回路６４において、該ＩＣタグ５０全体の電源を生成することができるので、ＩＣタグ５０は、外部の電池等から電源供給を受けずとも単体で動作可能になっている。
【００８９】
このような構成によっても、上記実施の形態と同様の効果を奏する。
【００９０】
なお、本発明は、ＩＣタグ５０に限定されるものではなく、情報を記録可能であれば、磁気メモリ（ＭＲＡＭ）等でもよい。また、データの送受信も無線通信による非接触方式に限定されるものではなく、Ｒ／Ｗ装置と物理的に接触させてデータの授受を行う接触方式としてもよい。
【００９１】
また、インデックスとして、上記画像データ取得装置２６で取得した複数の画像データから、サイズの小さいサムネイル画像を作成し、該サイズの小さい複数の被写体画像（サムネイル画像）を初回プリント時にインデックスシートとしてプリントすると共に、その全画像の画像データを格納するＵＲＬをバーコード形式で或いはＩＣタグなどの記録媒体に記録するようにしてもよい。インデックスシートにＵＲＬが記録されたバーコード或いは記録媒体を設けることにより、該インデックスシートに従来のネガフィルムと同様の役割を持たせることができ、再プリントが容易になる。
【図面の簡単な説明】
【００９２】
【図１】本発明の実施の形態に係るプリントシステムの構成図である。
【図２】撮像装置によって撮影された被写体画像をラボで最初にプリントする初回プリントの際の処理フローを示した図である。
【図３】（Ａ）は、初回プリントにおけるプリント結果の一例であり、（Ｂ）及び（Ｃ）は、初回プリントで印画紙にプリントされるバーコードの一例である。
【図４】プリントされた被写体画像を再度プリントする再プリントの際の処理フローを示した図である。
【図５】（Ａ）は、再プリントにおけるプリント結果の一例であり、（Ｂ）は、被写体画像を撮影した撮影場所に関する情報がプリントされたシートの一例である。
【図６】印画紙にＩＣタグを設けた場合の印画紙の断面図である。
【図７】ＩＣタグの詳細構成を示す図である。
【符号の説明】
【００９３】
１０  プリントシステム
１２  ラボ
１５  データ蓄積サーバ
１７  場所情報検索サーバ
１８  ネットワーク
２０  ラボサーバ
２４  プリンタ
２６  画像データ取得装置
２８  バーコード読取装置
３０  操作端末
４０  印画紙
４２  被写体画像
４４  バーコード
５０  ＩＣタグ
【図１】
2007094837.tif 000003
【図２】
2007094837.tif 000004
【図３】
2007094837.tif 000005
【図４】
2007094837.tif 000006
【図５】
2007094837.tif 000007
【図６】
2007094837.tif 000008
【図７】
2007094837.tif 000009